(57)【要約】【課題】端子金具をコネクタハウジングの収納室に挿入するときに、円滑に挿入してランスに固定できる技術を提供する。【解決手段】ランス５０のランスビーク５３の後方の斜面を、ビーク・中央斜面６２とその両サイドに形成されビーク・中央斜面６２より傾斜の緩いビーク・サイド斜面６１の２種類とする。端子金具８０が収納室２０に挿入されるときに、ランスビーク５３において接続部本体９０の前端部９１と当接する部分（図５（ｄ）の点Ｐ０）であるビーク・サイド斜面６１の傾斜角度を緩やかにすることで、端子金具８０の収納室２０への挿入が円滑になる。【選択図】図５
2010055880.tif 000002
【特許請求の範囲】
【請求項１】
挿入される端子金具に形成された所定の係止孔に係止する凸状の係止部を有し前記端子金具を固定する係止腕が端子収納室に前記端子金具の挿入方向に延出して形成されているコネクタハウジングであって、
前記係止腕の前記係止部は、前記端子金具の挿入後方側に斜面を形成しており、
前記斜面は前記端子金具の挿入方向に対して直角方向の中央部分に第１の斜面を形成し、両側方に前記斜面の傾斜角度より緩い第２の斜面を形成し、
前記第１の斜面が所定の高さ以上となる前記係止腕の延出方向の任意の位置で、前記第２の斜面が前記第１の斜面より低く形成されている
ことを特徴とするコネクタハウジング。
【請求項２】
前記係止腕は、前記係止部の前記第１の斜面から後方に向かって連続して形成され、前記端子金具の挿入を案内するガイド部を備えることを特徴とする請求項１に記載のコネクタハウジング。
【請求項３】
前記ガイド部の幅は、前記第１の斜面の幅と同一であることを特徴とする請求項２に記載のコネクタハウジング。
【請求項４】
請求項１から３までのいずれか一項に記載のコネクタハウジングと、
前記コネクタハウジングの前記係止腕に固定された前記端子金具とを備えたことを特徴とするコネクタ。
【発明の詳細な説明】
【技術分野】
【０００１】
本発明は、コネクタハウジング及びコネクタに係り、内部に形成された係止腕（ランス）に端子金具を係止するコネクタハウジング及びコネクタに関する。
【背景技術】
【０００２】
従来より、端子金具をあらかじめコネクタハウジングに収納した、オス型及びメス型のコネクタ同士を嵌合させることで、端子金具同士を接続する技術が利用されている。そして、例えば特許文献１に開示のように、コネクタハウジングの所定の位置に端子金具を収納するために、コネクタハウジングの内部に、ランスと呼ばれる片持ちの係止腕を形成しておき、自由端側に凸状に形成されたランスビークに端子金具が係止されるようになっている。
【０００３】
図１は、上記特許文献１に開示と類似の従来技術におけるコネクタハウジング１１０の断面図を示した図である。また、図２は、コネクタハウジング１１０に収納されるメス型の端子金具８０の概略構成を示す斜視図である。ここで、説明のために図示のようにハウジング１１０の前後左右を設定するが、実際には異なってもよい。また後述の図４でも同様である。例えば、図１（ａ）に示すように、コネクタハウジング１１０は、端子金具８０を収納するための収納室１２０が上下二段に形成されている。そして、収納室１２０の前方には、オス端子挿入孔１２４が形成されている。ここでは、上段の収納室１２０に端子金具８０を収納するケースについて説明する。上下二つの収納室１２０を仕切る収納室仕切部１３０の略中央部分から、ランス１５０が前方（図示左側）へ延出して形成されている。収納室仕切部１３０において、ランス１５０の後側（図示右側）は厚く、前側はランス１５０が上下に撓むことができる空間１２１（図１（ａ）のみに表記）を確保するために厚さが薄くなっている。また、端子金具８０は、ケーブルＷがか締めにより接続されるバレル部８１と接続部本体９０からなる。そして、接続部本体９０は、略箱形形状を有しており、前方の開口部分からオス型の端子金具（図示せず）が挿入される。また、接続部本体９０は、図１（ａ）において下側の面９８に、前後方向に延びるガイド溝９５が形成されている（詳細は図２参照）。また、ガイド溝９５の略中央には、ビーク係止孔９４が形成されており、後述するランスビーク５３が係止する。
【０００４】
図３は、ランス１５０を示した図である。図３（ａ）は、ランス１５０の斜視図であり、図３（ｂ）はランス１５０を模式的に示した斜視図であり、図３（ｃ）は図１（ａ）の領域Ｙ１の拡大図でありランス１５０の側面図を示しており、図３（ｄ）は図１（ｂ）の領域Ｙ２の拡大図であり端子金具８０がランスビーク１５３に当接した状態のランス１５０の側面図を示している。このランス１５０は上下方向に可撓性を有し、端子金具８０の挿入及び固定が効果的になされるようになっている。より具体的には、収納室仕切部１３０から略直方体の形状で延出するランスベース１５１の前方部分に、側方断面視において台形状のランスビーク１５３が形成されている。さらに、ランスビーク１５３より前方には前方自由端１５２が形成されている。上段の収納室１２０に形成されているランスビーク１５３は上側に凸状に形成され、下段の収納室１２０に形成されているランスビーク１５３は下側に凸状に形成されている。また、ランス１５０の根元部分（延出元）からランスビーク１５３に向けて所定の高さ及び所定の幅のランスガイド１５４形成されている。
【０００５】
そして、端子金具８０は、コネクタハウジング１１０の後方側から収納室１２０へ挿入され、接続部本体９０のガイド溝９５にランスビーク１５３のランスガイド１５４がはまって前方に進む。そして、図１（ｂ）や図３（ｄ）に示すように、端子金具８０の前端部９１がランスビーク１５３に当接すると、端子金具８０はランス１５０を下方に撓ませながら、図１（ｃ）に示すように奥まで進み、接続部本体９０に形成されたビーク係止孔９４にランスビーク１５３が係止することで、端子金具８０がコネクタハウジング１１０に固定される。
【特許文献１】実開昭５０−１１３８８１号公報
【発明の開示】
【発明が解決しようとする課題】
【０００６】
ところで、図３（ｄ）に示すように、ランス１５０の形状において、ランスビーク１５３の斜面１６１の傾斜角度が大きいと、端子金具８０を挿入して前端部９１がランスビーク１５３に当接したときに、当接点Ｐ１において前端部９１がランスビーク１５３に引っかかり前方に進めなくなるいわゆる「どつき」状態となることがある。このとき、端子金具８０の挿入力に対して、何倍もの荷重が掛かってしまい、端子金具８０の挿入作業が遅くなってしまうことがあった。通常であれば、端子金具８０を挿入するために１秒程度であるが、どつきが発生した場合には、１０秒近く要することもあり、作業性が著しく低下してしまうことがあった。ときには、端子金具８０を挿入できないことや、ランス１５０が削られ、削りカスにより導電不良が引き起こされる懸念もあり、改善する技術が求められていた。
【０００７】
本発明は、このような状況に鑑みてなされたものであり、端子金具をコネクタハウジングに収納する際に、どつきの発生を低減する技術を提供することを目的とする。
【課題を解決するための手段】
【０００８】
本発明のある態様は、コネクタハウジングに関する。このコネクタハウジングは、挿入される端子金具に形成された所定の係止孔に係止する凸状の係止部を有し前記端子金具を固定する係止腕が端子収納室に前記端子金具の挿入方向に延出して形成されているコネクタハウジングであって、前記係止腕の前記係止部は、前記端子金具の挿入後方側に斜面を形成しており、前記斜面は前記端子金具の挿入方向に対して直角方向の中央部分に第１の斜面を形成し、両側方に前記斜面の傾斜角度より緩い第２の斜面を形成し、前記第１の斜面が所定の高さ以上となる前記係止腕の延出方向の任意の位置で、前記第２の斜面が前記第１の斜面より低く形成されている。
また、前記係止腕は、前記係止部の前記第１の斜面から後方に向かって連続して形成され、前記端子金具の挿入を案内するガイド部を備えてもよい。
また、前記ガイド部の幅は、前記第１の斜面の幅と同一であってもよい。
本発明の別の態様は、コネクタに関し、上述のコネクタハウジングと、前記コネクタハウジングの前記係止腕に固定された前記端子金具とを備える。
【発明の効果】
【０００９】
本発明によれば、端子金具をコネクタハウジングに収納する際に、ランス（係止腕）と端子金具とのどつきの発生を低減することができる。
【発明を実施するための最良の形態】
【００１０】
以下、発明を実施するための最良の形態（以下、「実施形態」という）を、図面を参照しつつ説明する。上述のように、コネクタハウジングに端子金具を収納するときに、端子金具の先端部分がランスビークにどつくことがある。ランスビークにおいて端子金具との接触部分の角度（ランスビークの傾斜角度）は、ランスビークと端子金具のビーク係止孔の係止の観点から、あまり緩めることができない。そこで本実施の形態では、ランスビークの両サイドの角度を緩めた斜面を形成し上記のどつきを低減しつつ、ランスビークと端子金具のビーク係止孔の係止する部分の斜面の角度は、従来通り係止に十分な角度を確保する。
【００１１】
図４は、本実施形態に係るコネクタハウジング１０の断面図であり、端子金具８０が挿入されて、ランス５０のランスビーク５３に端子金具８０の前端部９１が当接した状態を示している。このコネクタハウジング１０と図１で示したコネクタハウジング１１０の構成と異なる部分はランス５０であるので、同一の構成部分には同一の符号を付し、主にランス５０について説明する。また、端子金具８０をハウジング１０の挿入する状態は、ランス５０を除いて図１（ａ）から（ｃ）に示した状態と同一なので、ここでは、代表して図１（ｂ）に相当する状態を図４に示している。図１と同様に、ハウジング１０は、上下二段の収納室２０と、収納室２０の前方に形成されたオス端子挿入孔２４と、収納室２０を仕切る収納室仕切部３０の略中央部分から延出して形成されるランス５０とを備えている。
【００１２】
図５は、ランス５０を示した図である。特に、図５（ａ）は、ランス５０の斜視図であり、図５（ｂ）はランス５０のランスビーク５３を模式的に示した斜視図であり、図５（ｃ）はランス５０のランスビーク５３の側面図であり、図５（ｄ）は端子金具８０の前端部９１がランスビーク５３に当接した状態の側面図（図４の領域Ｘ１の拡大図）であり、図５（ｅ）はランス５０のランスビーク５３を模式的に示した側面図である。
【００１３】
例えば、図５（ａ）や図４に示すように、図１（ａ）と同様に、収納室仕切部３０から略長方形のランスベース５１が前方（図４で右側方向）に所定の長さで延出して形成されている。また、ランスベース５１の前方端部近傍で幅方向中央にランスビーク５３が形成されている。さらに、ランスビーク５３の前方には、ランスベース５１から連続して前方自由端５２が形成されている。そしてランスベース５１の幅方向中央にはランスガイド５４が前後方向、より具体的には、ランスベース５１の根元部分からランスビーク５３まで形成されている。
【００１４】
また、図５（ｅ）に示しように、ランスビーク５３の後方側の斜面は、幅方向に対して両外側に形成され第１の傾斜角度αとなっているビーク・サイド斜面６１と、両外側の二つのビーク・サイド斜面６１に挟まれるようにして中央に形成されかつ第２の傾斜角度βとなっているビーク・中央斜面６２との２種類で構成されている。そして、第１の傾斜角度αは第２の傾斜角度βより小さく設定されており、言い換えると、ビーク・中央斜面６２よりビーク・サイド斜面６１の方が緩い傾斜面となっている。また、ビーク・中央斜面６２の幅は、ランスガイド５４の幅と同一になっている。つまり、ランスガイド５４の上面が連続してビーク・中央斜面６２に繋がっている。そして、ビーク・サイド斜面６１は、ランス５０の延出方向の任意の地点において、ビーク・中央斜面６２や、ランスガイド５４、ランスビーク５３の上面より低く形成されている。即ち、ランスビーク５３では、後方側から前方側へ所定長だけ両側面が一段低く段差が形成されている。
【００１５】
以上のように、端子金具８０が収納室２０に挿入されるときに、ランスビーク５３において接続部本体９０の前端部９１と当接する部分（図５（ｄ）の点Ｐ０）であるビーク・サイド斜面６１の傾斜角度を緩やかにできるため、端子金具８０の収納室２０への挿入が円滑にでき、作業効率の向上が図られる。また、どつきに起因して懸念されるランス５０の削り、さらに、その削りカスによる導通不良などの不具合発生を防止できる。
【００１６】
さらに、ランスビーク５３の中央部分のビーク・中央斜面６２をランス５０の後側から延びるランスガイド５４と同じ幅にすることで、実質的にランスガイド５４を前方まで延長した効果が得られる。このため、端子金具８０のガタツキが低減される。また、ビーク・中央斜面６２の傾斜は、ビーク・サイド斜面６１とは別に設定できるため、端子金具８０のビーク係止孔９４とランスビーク５３の係止を適切に保つことができる。より具体的には、端子金具８０の挿入時において、端子金具８０が前方に挿入され過ぎないようにできる。
【００１７】
以上、本発明を実施形態を基に説明した。この実施形態は例示であり、それらの各構成・形状にいろいろな変形例が可能なこと、またそうした変形例も本発明の範囲にあることは当業者に理解されるところである。
【００１８】
図６に変形例について示す。図６のランス５０ａでは、ビーク・サイド斜面６１ａがランスビーク５３ａの前端５３ｂから形成されている。つまり、ランスガイド５４がランスビーク５３ａの前端５３ｂまで延長している。この構成によると、ランスビーク５３ａが端子金具８０のビーク係止孔９４に嵌り込む寸前までランスガイド５４とガイド溝９５とが作用し続ける。その結果、上述のどつきの発生を低減を実現することができるとともに、端子金具８０の挿入を最後までスムーズに行うことができる。
【００１９】
また、なお、本実施形態では、図５（ｅ）に示したように、ビーク・中央斜面６２をランスベース５１まで延長した交点と、第１のビーク・サイド斜面６１とランスベース５１の交点は一致しているがこれに限る趣旨ではなく、第１のビーク・サイド斜面６１の傾斜角度（α）がビーク・中央斜面６２の傾斜角度（β）より小さければ、各交点が前後した位置となってもよい。また、第１のビーク・サイド斜面６１の傾斜角度（α）がビーク・中央斜面６２の傾斜角度（β）はそれぞれ一つの傾斜角度でなく複数の傾斜角度の面や曲面で構成されてもよい。
【図面の簡単な説明】
【００２０】
【図１】従来技術に係る、コネクタハウジングの断面図である。
【図２】従来技術に係る、コネクタハウジングに収納される端子金具の斜視図である。
【図３】従来技術に係る、コネクタハウジング内部に形成されるランスを示した図である。
【図４】実施形態に係る、コネクタハウジングの断面図である。
【図５】実施形態に係る、コネクタハウジング内部に形成されるランスを示した図である。
【図６】実施形態の変形例に係る、コネクタハウジング内部に形成されるランスを示した図である。
【符号の説明】
【００２１】
１０  コネクタハウジング
２０  収納室
２４  オス端子挿入孔
３０  収納室仕切部
５０、５０ａ  ランス
５１  ランスベース
５２  前方自由端
５３、５３ａ  ランスビーク
５４  ランスガイド
６１、６１ａ  ビーク・サイド斜面
６２  ビーク・中央斜面
８０  端子金具
【図１】
2010055880.tif 000003
【図２】
2010055880.tif 000004
【図３】
2010055880.tif 000005
【図４】
2010055880.tif 000006
【図５】
2010055880.tif 000007
【図６】
2010055880.tif 000008